(57)【要約】【課題】  所定の電子メールが受信されていることを他人に知られるのを防止しつつ、ユーザに通知すること。【解決手段】  携帯電話機は、電子メールを受信する受信部（Ｓ０２）と、受信された電子メールを記憶する電子メール記憶部（Ｓ０３）と、記憶された電子メールのうちで送信元を示す送信元情報に対してプライバシー保護が設定されているプライバシー電子メールを予め定められたパスワードが入力されることを条件に表示する電子メール表示管理部と、プライバシー電子メールが記憶されているか否かを判断する判断部（Ｓ１０）と、プライバシー電子メールが記憶されていると判断される場合、サイドキーが押下されることに応じて（Ｓ０８でＹＥＳ）、プライバシー電子メールが記憶されていることを示す第２のピクトを表示するピクト表示部（Ｓ１２）と、を備える。【選択図】        図６
2010108188.tif 000002
【特許請求の範囲】
【請求項１】
電子メールを受信する受信手段と、
前記受信された電子メールを記憶する記憶手段と、
前記記憶された電子メールのうちで送信元を示す送信元情報に対してプライバシー保護が設定されているプライバシー電子メールを予め定められたパスワードが入力されることを条件に表示する電子メール表示制御手段と、
前記プライバシー電子メールが記憶されているか否かを判断する判断手段と、
前記プライバシー電子メールが記憶されていると判断される場合、所定のキーが押下されることに応じて、前記プライバシー電子メールが記憶されていることを示す通知画像を表示する通知画像表示制御手段と、を備えた通信装置。
【請求項２】
前記所定のキーが押下されることに応じて、前記パスワードを入力するためのパスワード入力画面を表示する入力画面表示制御手段を、さらに備えた請求項１に記載の通信装置。
【請求項３】
前記通知画像と前記パスワード入力画面とは、前記所定のキーの押下のみで他の操作を必要とせずに表示される、請求項２に記載の通信装置。
【請求項４】
前記電子メール表示手段は、予め定められたパスワードが入力された後、前記所定のキーが押下されると、次に前記パスワードが入力されるまで前記プライバシー電子メールを表示しない、請求項１に記載の通信装置。
【請求項５】
前記受信された電子メールの件数を表示する件数表示制御手段をさらに備え、
前記件数表示制御手段は、前記予め定められたパスワードが入力される前の段階では、前記受信された電子メールのうち、前記プライバシー電子メール以外の通常電子メールの件数を表示し、前記予め定められたパスワードが入力された後の段階では、前記通常電子メールの件数に前記プライバシー電子メールの件数を加えた件数を表示する、請求項１〜４のいずれかに記載の通信装置。
【請求項６】
前記件数表示制御手段は、前記電子メール表示制御手段により表示されていない通常電子メールまたはプライバシー電子メールの件数を表示する、請求項５に記載の通信装置。
【請求項７】
前記件数表示制御手段は、予め定められたパスワードが入力された後に前記所定のキーが押下されると、次に前記パスワードが入力される前の段階では、前記受信された電子メールのうち、前記通常電子メールの件数を表示し、前記予め定められたパスワードが入力された後の段階では、前記通常電子メールの件数に前記プライバシー電子メールの件数を加えた件数を表示する、請求項５または６に記載の通信装置。
【請求項８】
電子メールを受信するステップと、
前記受信された電子メールを記憶するステップと、
前記記憶された電子メールのうちで送信元を示す送信元情報に対してプライバシー保護が設定されているプライバシー電子メールを予め定められたパスワードが入力されることを条件に表示するステップと、
前記プライバシー電子メールが記憶されているか否かを判断するステップと、
前記プライバシー電子メールが記憶されていると判断される場合、所定のキーが押下されることに応じて、前記プライバシー電子メールが記憶されていることを示す通知画像を表示するステップと、を備えた着信通知方法。
【請求項９】
電子メールを受信するステップと、
前記受信された電子メールを記憶するステップと、
前記記憶された電子メールのうちで送信元を示す送信元情報に対してプライバシー保護が設定されているプライバシー電子メールを予め定められたパスワードが入力されることを条件に表示するステップと、
前記プライバシー電子メールが記憶されているか否かを判断するステップと、
前記プライバシー電子メールが記憶されていると判断される場合、所定のキーが押下されることに応じて、前記プライバシー電子メールが記憶されていることを示す通知画像を表示するステップと、をコンピュータに実行させる着信通知プログラム。
【発明の詳細な説明】
【技術分野】
【０００１】
この発明は、通信装置、着信通知方法および着信通知プログラムに関し、特に電子メールを受信する機能を備えた通信装置、その通信装置で実行される着信通知方法および着信通知プログラムに関する。
【背景技術】
【０００２】
近年、携帯電話機は、電子メールを送受信する機能を有しており、さらに、特定の相手から受信される電子メールを通常は表示しないようにしておき、パスワードが入力されることを条件に表示するプライバシー機能を有するものがある。例えば、特開２００６−２１１３９３号公報には、秘匿対象の通信相手をセキュリティメンバとして登録しておき、着信が発生した場合に、その発信元がセキュリティメンバ以外であれば通常通り着信報知動作を行うが、発信元がセキュリティメンバの場合には着信報知動作を行わず、代わりに待ち受け画面等に常に表示されている時計の表示色を、ユーザ自ら設定したユーザのみが知る表示色に変化させるようにした携帯電話機が記載されている。
【０００３】
しかしながら、発信元がセキュリティメンバの場合に、待ち受け画面等に常に表示されている時計の表示色が変化するので、色が変化したことを見る他人に、セキュリティメンバから着信があったことを知られてしまうといった問題がある。
【０００４】
また、携帯電話機は多機能であることから、設定画面が多く、通常は、複数の操作画面が階層構造で構成されている。このため、プライバシー機能を解除するための操作画面を表示させるのに時間がかかり、操作が煩雑であるといった問題がある。
【特許文献１】特開２００６−２１１３９３号公報
【発明の開示】
【発明が解決しようとする課題】
【０００５】
この発明は上述した問題点を解決するためになされたもので、この発明の目的の一つは、所定の電子メールが受信されていることを他人に知られるのを防止しつつ、ユーザに通知することが可能な通信機器を提供することである。
【０００６】
この発明の他の目的は、所定の電子メールを閲覧するための操作を簡略化した通信装置を提供することである。
【０００７】
この発明のさらに他の目的は、所定の電子メールが受信されていることを他人に知られるのを防止しつつ、ユーザに通知することが可能な着信通知方法を提供することである。
【０００８】
この発明のさらに他の目的は、所定の電子メールが受信されていることを他人に知られるのを防止しつつ、ユーザに通知することが可能な着信通知プログラムを提供することである。
【課題を解決するための手段】
【０００９】
上述した目的を達成するためにこの発明のある局面によれば、通信機器は、電子メールを受信する受信手段と、受信された電子メールを記憶する記憶手段と、記憶された電子メールのうちで送信元を示す送信元情報に対してプライバシー保護が設定されているプライバシー電子メールを予め定められたパスワードが入力されることを条件に表示する電子メール表示制御手段と、プライバシー電子メールが記憶されているか否かを判断する判断手段と、プライバシー電子メールが記憶されていると判断される場合、所定のキーが押下されることに応じて、プライバシー電子メールが記憶されていることを示す通知画像を表示する通知画像表示制御手段と、を備える。
【００１０】
この局面に従えば、プライバシー電子メールが予め定められたパスワードが入力されることを条件に表示する場合に、所定のキーが押下されることに応じて、プライバシー電子メールが記憶されていることを示す通知画像が表示される。このため、所定のキーが押下される前は、プライバシー電子メールが記憶されていることを示す通知画像が表示されないので、他人にプライバシー電子メールが記憶されていることを知られるのを防止することができる。また、ユーザは所定のキーを押下する簡単な操作をするだけで、プライバシー電子メールが記憶されていることを知ることができる。その結果、所定の電子メールが受信されていることを他人に知られるのを防止しつつ、ユーザに通知することが可能な通信機器を提供することができる。
【００１１】
好ましくは、所定のキーが押下されることに応じて、パスワードを入力するためのパスワード入力画面を表示する入力画面表示制御手段を、さらに備える。
【００１２】
この局面に従えば、ユーザは所定のキーを押下する簡単な操作をするだけで、パスワード入力画面が表示されるので、パスワード入力画面を表示させるための煩雑な操作を省略することができる。このため、所定の電子メールを閲覧するための操作を簡略化した通信装置を提供することができる。
【００１３】
好ましくは、通知画像とパスワード入力画面とは、所定のキーの押下のみで他の操作を必要とせずに表示される。
【００１４】
好ましくは、電子メール表示手段は、予め定められたパスワードが入力された後、所定のキーが押下されると、次にパスワードが入力されるまでプライバシー電子メールを表示しない。
【００１５】
このため、プライバシー電子メールが受信されていることを他人に知られないように設定する操作を簡略にすることができる。
【００１６】
好ましくは、受信された電子メールの件数を表示する件数表示制御手段をさらに備え、件数表示制御手段は、予め定められたパスワードが入力される前の段階では、受信された電子メールのうち、プライバシー電子メール以外の通常電子メールの件数を表示し、予め定められたパスワードが入力された後の段階では、通常電子メールの件数にプライバシー電子メールの件数を加えた件数を表示する。
【００１７】
この局面に従えば、プライバシー電子メールの件数をユーザに通知することができる。
【００１８】
好ましくは、件数表示制御手段は、電子メール表示制御手段により表示されていない通常電子メールまたはプライバシー電子メールの件数を表示する。
【００１９】
この局面に従えば、受信された電子メールを読む必要があるか否かをユーザが判断するための情報を提供することができる。
【００２０】
好ましくは、件数表示制御手段は、予め定められたパスワードが入力された後に所定のキーが押下されると、次にパスワードが入力される前の段階では、受信された電子メールのうち、通常電子メールの件数を表示し、予め定められたパスワードが入力された後の段階では、通常電子メールの件数にプライバシー電子メールの件数を加えた件数を表示する。
【００２１】
このため、受信されたプライバシー電子メールの件数が他人に知られないように設定する操作を簡略にすることができる。
【００２２】
この発明の他の局面によれば、着信通知方法は、電子メールを受信するステップと、受信された電子メールを記憶するステップと、記憶された電子メールのうちで送信元を示す送信元情報に対してプライバシー保護が設定されているプライバシー電子メールを予め定められたパスワードが入力されることを条件に表示するステップと、プライバシー電子メールが記憶されているか否かを判断するステップと、プライバシー電子メールが記憶されていると判断される場合、所定のキーが押下されることに応じて、プライバシー電子メールが記憶されていることを示す通知画像を表示するステップと、を備える。
【００２３】
この局面に従えば、所定の電子メールが受信されていることを他人に知られるのを防止しつつ、ユーザに通知することが可能な着信通知方法を提供することができる。
【００２４】
この発明のさらに他の局面によれば、電子メールを受信するステップと、受信された電子メールを記憶するステップと、記憶された電子メールのうちで送信元を示す送信元情報に対してプライバシー保護が設定されているプライバシー電子メールを予め定められたパスワードが入力されることを条件に表示するステップと、プライバシー電子メールが記憶されているか否かを判断するステップと、プライバシー電子メールが記憶されていると判断される場合、所定のキーが押下されることに応じて、プライバシー電子メールが記憶されていることを示す通知画像を表示するステップと、をコンピュータに実行させる。
【００２５】
この局面に従えば、所定の電子メールが受信されていることを他人に知られるのを防止しつつ、ユーザに通知することが可能な着信通知プログラムを提供することができる。
【発明を実施するための最良の形態】
【００２６】
以下、本発明の実施の形態について図面を参照して説明する。以下の説明では同一の部品には同一の符号を付してある。それらの名称および機能も同じである。したがってそれらについての詳細な説明は繰返さない。
【００２７】
図１は、本発明の実施の形態の一つにおける携帯電話の外観を示す斜視図である。図１を参照して、携帯電話機１は、表示側部２と、操作側部３と、を含む。表示側部２は、その裏面が操作側部３の表面と向かい合うように、操作側部３に長手方向にスライド可能に取り付けられる。図１においては、表示側部２を操作側部３に対してスライドさせて、携帯電話機１が開いた状態を示している。携帯電話機１が閉じた状態に置いては、表示側部２の裏面は、操作側部３の表面と重なる。
【００２８】
表示側部２の表面は、カメラ２４と、液晶表示装置（ＬＣＤ）１５と、ＬＣＤ１５上に重畳されたタッチパネル１６と、レシーバとしての第１スピーカ１１と、が配置される。タッチパネル１６は、透明な部材からなり、ＬＣＤ１５の表示面の全体に渡ってそれに重畳して配置される。なお、ここでは携帯電話機１がＬＣＤ１５を備える例を示すが、ＬＣＤ１５に代えて、有機ＥＬ（Ｅｌｅｃｔｒｏ  Ｌｕｍｉｎｅｓｃｅｎｃｅ）ディスプレイ等を用いてもよい。
【００２９】
携帯電話機１が開いた状態において、操作側部３の表面の一部が露出する。操作側部３は、表面の露出する部分に通話キー、通話終了キー、上下左右にカーソルを移動させるための指示キー、テンキーを含む操作キー１７と、マイクロホン１３とが配置される。また、操作側部３の側面には、サイドキー１９が配置される。携帯電話機１が閉じた状態において、操作側部３の表面に設けられた操作キー１７が表示側部２により覆い隠される。一方、サイドキー１９は、携帯電話機１が閉じた状態において、ユーザが操作可能である。
【００３０】
図２は、本実施の形態における携帯電話機のハードウェア構成の一例を示すブロック図である。図２を参照して、携帯電話機１は、携帯電話機１の全体を制御するための制御部２１と、アンテナ２２Ａと接続された無線回路２２と、音声データを符号化または復号するためのコーデック部２３と、音声データを処理し音声を制御するための音声制御部２８と、カメラ２４と、ユーザの操作の入力を受付ける操作部２５と、着信を報知するための振動部２６と、制御部２１で実行するプログラム等を記憶するためのフラッシュメモリ３１と、制御部２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７と、を含む。
【００３１】
無線回路２２は、制御部２１により制御され、無線基地局と通信する。具体的には、無線回路２２は、アンテナ２２Ａにより受信された無線信号が入力され、無線信号を復調した音声信号をコーデック部２３に出力する。また、無線回路２２は、コーデック部２３から音声信号が入力され、音声信号を変調した無線信号をアンテナ２２Ａに出力する。コーデック部２３は、無線回路２２から入力される音声信号を復号し、復号したデジタルの音声信号をアナログに変換し、音声制御部２８に出力する。また、コーデック部２３は、音声制御部２８からアナログの音声信号が入力され、音声信号をデジタルに変換し、符号化し、そして符号化した音声信号を無線回路２２に出力する。
【００３２】
また、無線回路２２は、無線基地局との間でデータ通信が可能である。特に、無線回路２２は、無線基地局に接続された電子メールサーバと無線基地局を介して通信することが可能である。無線回路２２は、電子メールサーバから送信される電子メールを受信し、制御部２１に出力する。また、無線回路２２は、制御部２１から入力される電子メールを電子メールサーバに送信する。制御部２１は、電子メールサーバとの間で送受信した電子メールをフラッシュメモリ３１に記憶する。
【００３３】
操作部２５は、タッチパネル１６と、操作キー１７と、サイドキー１９とを含む。タッチパネル１６は、圧力の変化を感知する感圧式であってもよいし、静電気による電気信号を感知する静電式であってもよい。ここでは静電式を用いている。タッチパネル１６は、ユーザがタッチパネル１６に指で触れると、ユーザが指で触れた位置を指示位置として検出し、指示位置を制御部２１に出力する。操作キー１７およびサイドキー１９は、ユーザにより押下されると、押下されたことを示す信号を制御部２１に出力する。
【００３４】
音声制御部２８は、マイクロホン１３と接続され、マイクロホン１３が集音して出力するアナログの音声信号が入力される。音声制御部２８は、マイクロホン１３から入力される音声信号をコーデック部２３に出力する。また、音声制御部２８は、コーデック部２３から音声信号が入力され、コーデック部２３から入力された音声信号をスピーカ１１に出力する。
【００３５】
カードＩ／Ｆ２７には、着脱可能なメモリカード２７Ａが装着される。メモリカード２７Ａは、フラッシュメモリ等の不揮発性メモリを有し、プログラムを記憶可能である。制御部２１は、カードＩ／Ｆ２７を介して、メモリカード２７Ａにアクセスが可能である。なお、ここでは制御部２１で実行するためのプログラムをフラッシュメモリ３１に記憶しておく例を説明するが、プログラムをメモリカード２７Ａに記憶しておき、メモリカード２７Ａからプログラムを読み出して、制御部２１で実行するようにしてもよい。プログラムを記憶する記録媒体としては、メモリカード２７Ａに限らず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭ、ＥＥＰＲＯＭなどの半導体メモリ等でもよい。また、制御部２１が、無線回路２２を介してインターネットに接続されたコンピュータからプログラムをダウンロードし、そのプログラムを実行するようにしてもよい。ここでいうプログラムは、制御部２１により直接実行可能なプログラムだけでなく、ソースプログラム、圧縮処理されたプログラム、暗号化されたプログラム等を含む。
【００３６】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。制御部２１は、カメラ２４が出力する静止画データまたは動画データをＬＣＤ１５に表示する、または、圧縮符号化方式で静止画データまたは動画データを符号化して、フラッシュメモリ３１またはカードＩ／Ｆ２７に装着されたメモリカード２７Ａに記憶する。
【００３７】
本実施の形態における携帯電話機１は、フラッシュメモリ３１にアドレス帳を記憶している。アドレス帳は、送信先の複数のユーザそれぞれに対応した複数のアドレス帳データを含む。図３は、アドレス帳データのフォーマットの一例を示す図である。図３を参照して、アドレス帳データは、電子メールの送信者または受信者を識別するためのユーザ識別情報が設定されるユーザ識別情報の項目と、電子メールの送信者もしくは受信者に割り当てれた電子メールアドレスが設定される電子メールアドレスの項目と、プライバシー保護の有無が設定されるプライバシー保護の項目と、を含む。以下、プライバシー保護の項目が「有」に設定されている電子メールアドレスが送信元の電子メールアドレスに設定された電子メールを、プライバシー電子メールといい、プライバシー保護の項目が「無」に設定されている電子メールアドレスが送信元の電子メールアドレスに設定された電子メールを、通常電子メールという。
【００３８】
携帯電話機１は、電子メールを受信するとそれをフラッシュメモリ３１に記憶する。図４は、フラッシュメモリに記憶される電子メールのフォーマットの一例を示す図である。図４を参照して、電子メールは、電子メールの送信元の電子メールアドレスが設定される送信元アドレスの項目と、電子メール本文が設定される電子メール本文の項目と、電子メールにデータが添付されている場合にそのデータが設定される添付データの項目と、電子メール本文がユーザにより閲覧されたか否かを示す未読区分の項目とを含む。未読区分には、ユーザにより閲覧されたことを示す「既読」と、ＬＣＤ１５に表示されておらず、ユーザにより閲覧されていないことを示す「未読」とのいずれかが設定される。未読区分は、電子メールが受信されると「未読」が設定され、ＬＣＤ１５に表示されると「既読」が設定される。換言すれば、電子メールが受信されてからＬＣＤ１５に表示されるまで未読区分が「未読」に設定され、ＬＣＤ１５に１度でも表示された後は未読区分が「既読」に設定される。
【００３９】
携帯電話機１は、プライバシー設定を有効と無効とのいずれかに切り換える。携帯電話機１は、プライバシー設定が有効に設定されている場合、プライバシー電子メールの本文およびそれが添付されている場合にはその添付データを表示しない。携帯電話機１は、携帯電話機１のプライバシー設定が無効に設定されている場合、プライバシー電子メールの本文およびそれが添付されている場合には添付データをＬＣＤ１５に表示可能となる。携帯電話機１は、プライバシー設定が有効に設定されている場合、予め定められたパスワードが操作部２５に入力されることを条件に、プライバシー設定を無効に設定する。
【００４０】
図５は、携帯電話機が備える制御部の機能の概要を示す機能ブロック図である。図５を参照して、制御部２１は、電子メールを受信する電子メール受信部５１と、受信された電子メールをフラッシュメモリ３１に記憶する電子メール記憶部５３と、ユーザによる操作を受け付ける操作受付部５５と、操作受付部５５により受け付けられたパスワードを認証する認証部５９と、フラッシュメモリ３１にプライバシー電子メールが記憶されているか否かを判断する判断部５７と、フラッシュメモリ３１に記憶された電子メールの表示を管理する電子メール表示管理部６１と、を含む。
【００４１】
電子メール受信部５１は、無線回路２２が電子メールサーバから電子メールを受信すると、受信された電子メールを無線回路２２から受け付ける。電子メール受信部５１は、受け付けた電子メールを電子メール記憶部５３に出力する。電子メール記憶部５３は、電子メール受信部５１から入力される電子メールをフラッシュメモリ３１に記憶する。これにより、フラッシュメモリ３１に受信された電子メールが記憶される。
【００４２】
操作受付部５５は、ユーザが操作部２５に入力する操作を受け付け、受け付けた操作を認証部５９、判断部５７または電子メール表示管理部６１に出力する。操作受付部５５は、サイドキー１９が押下されると、サイドキー１９が押下されたことを示す信号を、判断部５７、認証部５９および電子メール表示管理部６１に出力する。操作受付部５５は、操作キー１７またはタッチパネル１６にパスワードが入力されると、受け付けたパスワードを認証部５９に出力する。操作受付部５５は、ユーザが操作キー１７またはタッチパネル１６に電子メールを閲覧する操作を入力すると、その操作を電子メール表示管理部６１に出力する。
【００４３】
判断部５７は、操作受付部５５からサイドキー１９が押下されたことを示す信号が入力されると、フラッシュメモリ３１に記憶されているアドレス帳および電子メールを参照して、フラッシュメモリ３１にプライバシー電子メールが記憶されているか否かを判断する。判断部５７は、プライバシー電子メールが少なくとも１つフラッシュメモリ３１に記憶されていると判断する場合、認証部５９に認証指示を出力する。
【００４４】
認証部５９は、判断部５７から認証指示が入力されると、ＬＣＤ１５にパスワード入力画面を表示する。そして、ユーザが操作部２５にパスワードを入力すると、認証部５９は操作受付部５５からパスワードが入力される。認証部５９は、入力されたパスワードが予め記憶されたパスワードと一致するか否かを判断する。操作受付部５５から入力されるパスワードが予め記憶されたパスワードと一致するならば認証し、電子メール表示管理部６１に認証成功を示す信号を出力するが、両者が一致しなければ認証失敗を示す信号を電子メール表示管理部６１に出力する。
【００４５】
電子メール表示管理部６１は、フラッシュメモリ３１に記憶されている電子メールの表示を管理する。電子メール表示管理部６１は、電子メール数表示部６３と、閲覧処理部６５と、アイコン表示部６７と、ピクト表示部６９と、を含む。
【００４６】
電子メール数表示部６３は、フラッシュメモリ３１に記憶されている電子メールのうち未読の電子メールの数を表示する。フラッシュメモリ３１に記憶されている電子メールが未読か否かを、電子メールの未読区分の項目に設定されている値に基づいて判断する。電子メール数表示部６３は、フラッシュメモリ３１に記憶されている電子メールのうち、未読の通常電子メールの数をカウントし、カウントした値をＬＣＤ１５に表示する。これにより、ユーザは未読の電子メールの数を知ることができる。
【００４７】
ただし、電子メール数表示部６３は、フラッシュメモリ３１に記憶されている未読の電子メールがプライバシー電子メールを含む場合、プライバシー電子メールの数を、認証部５９により認証が成功することを条件に表示する。具体的には、電子メール数表示部６３は、フラッシュメモリ３１に未読の電子メールが記憶されているか否かを判断し、未読の電子メールが記憶されていると判断する場合、未読の電子メールのうちに少なくとも１つのプライバシー電子メールが含まれるか否かを判断する。未読の電子メールのうちに少なくとも１つのプライバシー電子メールが含まれると判断する場合、最初は未読の通常電子メールの数をカウントし、そのカウント値をＬＣＤ１５に表示する。
【００４８】
その後、電子メール数表示部６３は、認証部５９から認証成功を示す信号が入力されると、フラッシュメモリ３１に記憶されている電子メールのうち未読の電子メールの数を表示する。すなわち、フラッシュメモリ３１に記憶されている通常電子メールおよびプライバシー電子メールであって、未読のものすべての数をカウントし、カウントした値をＬＣＤ１５に表示する。これにより、ユーザは未読のプライバシー電子メールと通常電子メールの数を知ることができる。
【００４９】
ピクト表示部６９は、フラッシュメモリ３１に未読の電子メールが記憶されていることを示す通知画像としてピクトをＬＣＤ１５に表示する。ピクトは、文字または図形であり、記憶されている電子メールの種類により、互いに異なる複数の文字または図形を含む。ピクト表示部６９は、フラッシュメモリ３１に記憶されている未読の電子メールが通常電子メールのみの場合、第１のピクトを表示し、フラッシュメモリ３１に記憶されている未読の電子メールがプライバシーメールを含む場合、サイドキー１９が押下されることを条件に第２のピクトを表示する。
【００５０】
すなわち、ピクト表示部６９は、フラッシュメモリ３１に未読の電子メールが記憶されているか否かを判断し、未読の電子メールが記憶されていると判断する場合、未読の電子メールのうちに少なくとも１つのプライバシー電子メールが含まれるか否かを判断する。そして、未読の電子メールのうちに少なくとも１つのプライバシー電子メールが含まれると判断する場合、最初は第１のピクトを表示しており、操作受付部５５からサイドキー１９が押下されたことを示す信号が入力されると、第２のピクトを表示する。ユーザは第１のピクトを見ることにより、未読の通常電子メールが受信されていることを知ることができ、サイドキー１９を押下した後に、第２のピクトが表示されると、未読のプライバシー電子メールが受信されていることを知ることができる。
【００５１】
また、ピクト表示部６９は、第２のピクトを表示しているときに、認証部５９より認証成功を示す信号が入力されると、第２のピクトに代えて第１のピクトをＬＣＤ１５に表示すると共に、アイコン表示部６７にアイコン表示指示を出力する。
【００５２】
アイコン表示部６７は、ピクト表示部６９からアイコン表示指示が入力されると、ＬＣＤ１５にプライバシーアイコンを表示する。プライバシーアイコンは、文字または画像を含むアイコンであり、ＬＣＤ１５に表示されたアイコンの文字または画像がユーザにより指示されると閲覧処理部６５に閲覧処理を実行するための閲覧指示を出力するコマンドが関連付けられる。アイコン表示部６７は、ＬＣＤ１５に表示されたプライバシーアイコンの文字または図形がユーザにより指示されると、閲覧処理部６５に閲覧指示を出力する。
【００５３】
閲覧処理部６５は、アイコン表示部６７から閲覧指示が入力されると、フラッシュメモリ３１に記憶されている電子メールを表示する処理を実行する。閲覧処理部６５は、認証部５９により認証成功を示す信号が入力される前は、プライバシー設定が有効に設定されているので、フラッシュメモリ３１に記憶されている電子メールのうち通常電子メールのみを表示するが、認証部５９により認証成功を示す信号が入力された後は、プライバシー設定が無効に設定されるので、フラッシュメモリ３１に記憶されている電子メールのすべてを表示する。
【００５４】
具体的には、電子メールの送信元の電子メールアドレス、その電子メールアドレスがアドレス帳に記憶されている場合には、その電子メールアドレスとアドレス帳データにより関連付けられたユーザ識別情報を、ＬＣＤ１５に一覧表示するが、認証部５９により認証が成功する前後で、表示対象となる電子メールが異なる。認証部５９により認証が成功する前は、フラッシュメモリ３１に記憶されている電子メールのうち通常電子メールのみの送信元の電子メールアドレス、その電子メールアドレスがアドレス帳に記憶されている場合には、その電子メールアドレスとアドレス帳データにより関連付けられたユーザ識別情報を、ＬＣＤ１５に一覧表示するが、認証部５９により認証が成功した後は、プライバシー電子メールを含むフラッシュメモリ３１に記憶されている電子メールの送信元の電子メールアドレス、その電子メールアドレスがアドレス帳に記憶されている場合には、その電子メールアドレスとアドレス帳データにより関連付けられたユーザ識別情報を、ＬＣＤ１５に一覧表示する。
【００５５】
そして、ユーザが操作受付部５５に電子メールを選択する指示を入力すれば、選択された電子メールの本文をＬＣＤ１５に表示する。このように、閲覧処理部６５は、認証部５９により認証が成功する前は、フラッシュメモリ３１に記憶されている電子メールのうち通常電子メールのみを表示するが、認証部５９により認証が成功した後は、プライバシー電子メールを含むフラッシュメモリ３１に記憶されている電子メールのすべてを表示する。
【００５６】
図６および図７は、電子メール通知処理の流れの一例を示すフローチャートである。電子メール通知処理は、制御部２１が着信通知プログラムを実行することにより、制御部２１により実行される処理である。図６を参照して、制御部２１は、プライバシー設定を有効に設定する（ステップＳ０１）。これにより、フラッシュメモリ３１にプライバシー電子メールが記憶されていたとしても、未読のプライバシー電子メールの数、および未読および既読のプライバシー電子メールの本文がＬＣＤ１５に表示されることはない。
【００５７】
次のステップＳ０２においては、電子メールを受信したか否かを判断する。無線回路２２により電子メールが受信されたか否かを判断する。電子メールを受信したならば処理をステップＳ０３に進めるが、そうでなければステップＳ０３をスキップして処理をステップＳ０３Ａに進める。ステップＳ０３においては、受信された電子メールをフラッシュメモリ３１に記憶し、処理をステップＳ０３Ａに進める。
【００５８】
ステップＳ０３Ａにおいては、プライバシー設定が有効に設定されているか否かを判断する。プライバシー設定が有効に設定されているならば処理をステップＳ０４に進め、そうでなければ処理をステップＳ０８に進める。
【００５９】
ステップＳ０４においては、フラッシュメモリ３１に記憶されている電子メールのうち、未読の電子メールのすべてを抽出する。電子メールの未読区分の項目に設定されている値に基づいて未読の電子メールを抽出する。
【００６０】
次のステップＳ０５においては、ステップＳ０４において抽出された電子メールのうち通常電子メールの数をカウントする。電子メールの送信元アドレスの項目に設定されている電子メールアドレスを含むアドレス帳データを抽出し、抽出されたドレス帳データのプライバシー保護の項目に「無効」が設定されていれば通常電子メールと判断する。
【００６１】
ステップＳ０６においては、ステップＳ０５においてカウントされた通常電子メールの数をＬＣＤ１５に表示する。次のステップＳ０７においては、受信された電子メールがあることを示す第１のピクトをＬＣＤ１５の予め定められた領域に表示する。ステップＳ０６およびステップＳ０７が実行されることにより、ＬＣＤ１５に第1の表示画面が表示される。
【００６２】
図８は、第１の表示画面の一例を示す図である。図８を参照して、第１の表示画面１０１は、第１のピクト１０３と、電子メールの数を表示する件数表示領域１０４を含む。未読の通常電子メールが存在することが、第１のピクト１０３により示され、その件数が１件であることが件数表示領域１０４により示される。
【００６３】
図６および図７に戻って、ステップＳ０８においてはサイドキー１９が押下されたか否かを判断する。サイドキー１９が押下されたならば処理をステップＳ０９に進め、そうでなければ処理をステップＳ２４に進める。ステップＳ０９においては、プライバシー設定が有効に設定されているか否かを判断する。プライバシー設定が有効に設定されているならば処理をステップＳ１０に進め、そうでなければ処理をステップＳ２６に進める。
【００６４】
ステップＳ１０においては、フラッシュメモリ３１にプライバシー電子メールが記憶されているか否かを判断する。プライバシー電子メールが記憶されているならば処理をステップＳ１１に進めるが、そうでなければ処理をステップＳ２４に進める。プライバシー電子メールが記憶されていなければ、プライバシー電子メールが表示されることはないので、処理をステップＳ２４に進めて通常電子メールの閲覧を可能にするが、プライバシー電子メールが記憶されているならば、それが表示されるのを制限する必要があるためステップＳ１１以降の処理を実行する。
【００６５】
ステップＳ１１においては、フラッシュメモリ３１に記憶されているプライバシー電子メールのうちに未読のプライバシー電子メールが存在するか否かを判断する。未読のプライバシー電子メールが存在するならば処理をステップＳ１２に進め、そうでなければステップＳ１２をスキップして処理をステップＳ１３に進める。ステップＳ１２においては、ＬＣＤ１５に表示されている第１のピクトに代えてプライバシー電子メールが存在することを示す第２のピクトを表示し、処理をステップＳ１３に進める。第２のピクトは、記憶されているプライバシー電子メールを読む必要があるか否かをユーザが判断するための情報である。第２のピクトをＬＣＤ１５に表示することにより、ユーザに未読のプライバシー電子メールが着信していることを通知することができる。
【００６６】
ステップＳ１３においては、パスワード入力画面をＬＣＤ１５に表示し、処理をステップＳ１４に進める。ユーザがサイドキー１９を押下する簡単な操作をするだけで、パスワード入力画面が表示されるので、プライバシー設定を無効に設定するための煩雑な操作を省略することができる。ステップＳ１４においては、パスワードを受け付けたか否かを判断する。パスワードを受け付けたならば処理をステップＳ１５に進めるが、そうでなければ処理をステップＳ１３に戻す。
【００６７】
図９は、パスワード入力画面の一例を示す図である。図９を参照して、パスワード入力画面１１１は、第２のピクト１１３と、電子メールの数を表示する領域１１４と、パスワードを入力する領域１１５とを含む。第２のピクト１１３が表示されるので、未読のプライバシー電子メールが記憶されていることを通知することができる。電子メールの数を表示する領域１０４には、図８に示した第１の画面と同様に未読の通常電子メールの件数が１件であることが表示される。このため、未読のプライバシー電子メールの数は通知されない。ユーザが操作キー１７にパスワードを入力すると、領域１１５にパスワードが入力されたことが表示される。なお、パスワードそのものを表示するのではなく、例えば＊印などパスワードに代えてダミーの印を表示する。
【００６８】
図６および図７に戻って、ステップＳ１４において受け付けられたパスワードが、予め記憶されたパスワードと一致するか否かを判断する。受け付けられたパスワードが予め記憶されたパスワードと一致するならば処理をステップＳ１６に進めるが、そうでなければ処理をステップＳ２７に進める。ステップＳ１６においては、プライバシー設定を無効に設定し、処理をステップＳ１７に進める。ステップＳ１７においては、プライバシー設定が変更されたことを示す設定変更通知画面をＬＣＤ１５に表示する。
【００６９】
ステップＳ１８においては、任意の操作を受け付けたか否かを判断する。任意の操作を受け付けたならば処理をステップＳ１９に進め、そうでなければ処理をステップＳ１７に戻す。任意の操作は、ユーザが操作部２５の有する複数のキーのうち任意のものを押下する操作である。ステップＳ１９においては、設定変更通知画面の表示を終了し、処理をステップＳ２０に進める。これにより、ユーザが任意の操作を入力するまで、設定変更通知画面がＬＣＤ１５に表示される。
【００７０】
図１０は、設定変更通知画面の一例を示す図である。図１０を参照して、設定変更通知画面１２１は、図９に示したパスワード入力画面１１１と比較して、パスワード入力領域１１５に代えて設定変更通知領域１２３を含む点が異なる。設定変更通知領域１２３は、「メール表示ＯＮに設定しました」のメッセージを含む。設定変更通知画面を見るユーザは、プライバシー設定が無効に設定されて、プライバシー電子メールを閲覧可能になったことを知ることができる。
【００７１】
図７に戻って、ステップＳ２０においては、未読のプライバシー電子メールの件数をカウントする。ステップＳ０４において抽出された未読の電子メールのうちプライバシー電子メールの数をカウントする。プライバシー電子メールか否かは、電子メールの送信元アドレスの項目に設定されている電子メールアドレスを含むアドレス帳データを抽出し、抽出されたドレス帳データのプライバシー保護の項目に「有効」が設定されていればプライバシー電子メールと判断する。
【００７２】
そして、ステップＳ０５においてカウントされた未読の通常電子メールの件数と、ステップＳ２０においてカウントされた未読のプライバシー電子メールの件数とを加算することにより、未読の電子メールの総数を算出し、それまでＬＣＤ１５に表示されていた未読の通常電子メールの件数を、算出された総数の表示に切り換える（ステップＳ２１）。未読の通常電子メールの件数と、未読のプライバシー電子メールの件数とを加算した総数を表示するので、パスワードが入力された後に、プライバシー電子メールの件数をユーザに通知することができる。
【００７３】
次のステップＳ２２においては、ステップＳ１２により表示され、それまでＬＣＤ１５に表示されていた第２のピクトを第１のピクトの表示に切り換える。そして、ステップＳ２３においては、プライバシーアイコンをＬＣＤ１５に表示し、処理をステップＳ２４に進める。これにより、ＬＣＤ１５に第２の表示画面が表示される。
【００７４】
図１１は、第２の表示画面の一例を示す図である。図１１を参照して、第２の表示画面１３１は、第１のピクト１０３と、電子メールの数を表示する件数表示領域１３５と、プライバシーアイコン１３３と、を含む。件数表示領域１３５には、未読の通常電子メールと未読のプライバシー電子メールとの総数が表示される。ここでは、２件が存在することが示され、未読の通常電子メールが１件であったので、未読のプライバシー電子メールが１件であることが示される。また、第１のピクト１０３により未読の通常電子メールが存在することが示される。
【００７５】
図７に戻って、ステップＳ２４においては、閲覧指示を受け付けたか否かを判断する。具体的には、ユーザが操作部２５に、閲覧指示を入力したならば、閲覧指示を受け付ける。また、ＬＣＤ１５に第２の表示画面１３１が表示されている場合、プライバシーアイコン１３３が指示されると、閲覧指示を受け付ける。閲覧指示を受け付けたならば、処理をステップＳ２５に進め、そうでなければ処理をステップＳ０２に戻す。ステップＳ２５においては、電子メールの閲覧処理を実行する。閲覧処理は、周知なのでここでは説明を繰り返さないが、プライバシー設定が無効に設定されている場合には、プライバシー電子メールと通常電子メールとを表示する処理であり、プライバシー設定が有効に設定されている場合には、プライバシー電子メールを表示することなく、通常電子メールのみを表示する処理である。
【００７６】
一方、ステップＳ２７においては、ステップＳ１２により表示され、それまでＬＣＤ１５に表示されていた第２のピクトを第１のピクトに切り換える。そして、ステップＳ２８においては、エラーメッセージをＬＣＤ１５に表示し、処理をステップＳ２９に進める。これにより、ＬＣＤ１５にエラーメッセージ表示画面が表示される。ステップＳ２９においては、任意の操作を受け付けたか否かを判断する。任意の操作を受け付けたならば処理をステップＳ２４に進め、そうでなければ処理をステップＳ２８に戻す。すなわち、ユーザが操作部２５の有する複数のキーのうち任意のもの押下するまで、エラーメッセージがＬＣＤ１５に表示される。
【００７７】
ステップＳ２６においては、プライバシー電子メールを有効に設定し、処理をステップＳ０６に戻す。ステップＳ１６において、プライバシー設定が無効に設定されるが、プライバシー設定が無効に設定されている状態でサイドキー１９が押下されと（ステップＳ０８でＹＥＳ、かつステップＳ０９でＮＯ）、ステップＳ２６においてプライバシー設定が有効に設定される。サイドキー１９を押下する簡単な操作で、プライバシー設定を有効に設定することができるので、プライバシー電子メールが受信されていることを他人に知られないようにするために、プライバシー設定を有効に設定する操作を簡略にすることができる。また、処理をステップＳ０６に戻すので、ステップＳ２１において、電子メールの総数が表示されている場合に、通常電子メールの件数に表示が切り換わる。このため、受信されたプライバシー電子メールの件数が他人に知られないように設定する操作を簡略にすることができる。
【００７８】
図１２は、エラーメッセージ表示画面の一例を示す図である。図１２を参照して、エラーメッセージ表示画面１４１は、エラーメッセージを表示する領域１４３と、第１のピクト１１３と、未読の電子メールの件数を表示する件数表示領域１０４とを含む。図９に示した第１の表示画面１１１と比較して、パスワード入力する領域１１５に代えてエラーメッセージを表示する領域１４３とした点が異なる。エラーメッセージを表示する領域１４３は、エラーメッセージ「ロックＮｏ．が違います」を含む。
【００７９】
以上説明したように本実施の形態における通信機器としての携帯電話機１は、プライバシー設定が有効に設定されている場合、サイドキー１９が押下されることに応じて、プライバシー電子メールが記憶されていることを示す第２のピクト１１３をＬＣＤ１５に表示する。このため、ユーザがサイドキー１９を押下する前は、第２のピクトをＬＣＤ１５に表示しないので、他人にプライバシー電子メールが記憶されていることを知られるのを防止することができる。また、ユーザはサイドキー１９を押下する簡単な操作をするだけで、第２のピクト１１３が表示されるので、プライバシー電子メールが記憶されていることを知ることができる。
【００８０】
また、携帯電話機１は、プライバシー設定が有効に設定されている場合、サイドキー１９が押下されることに応じて、パスワード入力画面１１１をＬＣＤ１５に表示するので、パスワード入力画面１１１を表示させるための煩雑な操作を省略することができる。
【００８１】
また、パスワードが入力されてプライバシー設定が無効に設定された後、サイドキー１９が押下されると、プライバシー設定を有効に設定し、次にパスワードが入力されるまでプライバシー電子メールを表示しない。このため、プライバシー電子メールが受信されていることを他人に知られないように設定する操作を簡略にすることができる。
【００８２】
また、パスワードが入力される前の段階では、通常電子メールの件数を表示し、パスワードが入力された後の段階では、通常電子メールの件数にプライバシー電子メールの件数を加えた件数を表示するための第２の表示画面１３１をＬＣＤ１５に表示する。このため、パスワードが入力された後に、プライバシー電子メールの件数をユーザに通知することができる。
【００８３】
また、パスワードが入力される前の段階では、未読の通常電子メールの件数を表示し、パスワードが入力された後の段階では、未読の通常電子メールの件数に未読のプライバシー電子メールの件数を加えた件数を表示するための第２の表示画面１３１をＬＣＤ１５に表示する。このため、受信された電子メールを読む必要があるか否かをユーザが判断するための情報を提供することができる。
【００８４】
また、パスワードが入力されてプライバシー設定が無効に設定された後、サイドキー１９が押下されると、プライバシー設定を有効に設定し、次にパスワードが入力されるまで通常電子メールの件数を表示する。このため、受信されたプライバシー電子メールの件数が他人に知られないように設定する操作を簡略にすることができる。
【００８５】
なお、上記の本発明の一実施の形態の携帯電話機１では、図７のステップＳ１８、ステップＳ２９において、任意の操作が受け付けられた場合に、設定変更通知画面の表示を終了し、エラーメッセージの表示を終了しているが、本発明はこのように、設定変更通知画面の表示を終了し、エラーメッセージの表示を終了するために任意の操作が受け付けられたことを条件とする場合に限定されるものではなく、例えば、図７のステップＳ１８、ステップＳ２９の少なくともいずれかにおいて、任意の操作が受け付けられたという条件に代えて、例えば設定変更通知画面やエラーメッセージが表示された後５秒経過したか否かなどというように、設定変更通知画面やエラーメッセージが表示された後、所定の時間（それぞれで異なる時間を取り得る）経過したか否かという条件や、所定のキー（それぞれで異なるキーであり得る）が所定回数（それぞれで異なる回数でありうる）押下されたか否かという条件など、その他適宜な条件を用いることができる。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８７】
【図１】本発明の実施の形態の一つにおける携帯電話機の外観を示す斜視図である。
【図２】本実施の形態における携帯電話機のハードウェア構成の一例を示すブロック図である。
【図３】アドレス帳データのフォーマットの一例を示す図である。
【図４】フラッシュメモリに記憶される電子メールのフォーマットの一例を示す図である。
【図５】携帯電話機が備える制御部の機能の概要を示す機能ブロック図である。
【図６】電子メール通知処理の流れの一例を示す第１のフローチャートである。
【図７】電子メール通知処理の流れの一例を示す第２のフローチャートである。
【図８】第１の表示画面の一例を示す図である。
【図９】パスワード入力画面の一例を示す図である。
【図１０】設定変更通知画面の一例を示す図である。
【図１１】第２の表示画面の一例を示す図である。
【図１２】エラーメッセージ表示画面の一例を示す図である。
【符号の説明】
【００８８】
１  携帯電話機、２  表示側部、３  操作側部、１１  スピーカ、１３  マイクロホン、１５  ＬＣＤ１５  タッチパネル、１７  操作キー、１９  サイドキー、２１  制御部、２２  無線回路、２２Ａ  アンテナ、２３  コーデック部、２４  カメラ、２５  操作部、２６  振動部、２７  カードＩ／Ｆ、２７Ａ  メモリカード、２８  音声制御部、３１  フラッシュメモリ、５１  電子メール受信部、５３  電子メール記憶部、５５  操作受付部、５７  判断部、５９  認証部、６１  電子メール表示管理部、６３  電子メール数表示部、６５  閲覧処理部、６７  アイコン表示部、６９  ピクト表示部、１０３  第１のピクト、１１３  第２のピクト、１３３  プライバシーアイコン、１０４，１３５  件数表示領域。
【図１】
2010108188.tif 000003
【図２】
2010108188.tif 000004
【図３】
2010108188.tif 000005
【図４】
2010108188.tif 000006
【図５】
2010108188.tif 000007
【図６】
2010108188.tif 000008
【図７】
2010108188.tif 000009
【図８】
2010108188.tif 000010
【図９】
2010108188.tif 000011
【図１０】
2010108188.tif 000012
【図１１】
2010108188.tif 000013
【図１２】
2010108188.tif 000014